(57)【要約】【課題】  特定の遊技機への持玉の持ち込み、特定の遊技機で獲得した持玉の持ち出しを確実に禁止する。【解決手段】記憶媒体１は、識別情報記憶部４と、持玉使用禁止情報記憶部５とを有し、第１記憶媒体処理装置２は、第１読取り書込み部６と、第１記憶媒体識別情報記憶部７と、制御部８とを有し、第２記憶媒体処理装置３は、第２読取り書込み部９と、第２記憶媒体識別情報記憶部１０と、照合部１１と、判別部１２と、排出制御部１３とを有し、書込み制御部８は、持玉使用禁止情報記憶部５に持玉使用禁止情報を書き込み、照合部１１で記憶媒体１の識別情報と第２記憶媒体識別情報記憶部１０に記憶されている識別情報とを照合し、不一致の場合は判別部１２で持玉使用禁止情報記憶部５に持玉使用禁止情報が記憶されているかどうかを判別し、記憶されていた場合は排出制御部１３で第２読取り書込み部９から記憶媒体１を排出する。【選択図】図１
2010227436.tif 000002
【特許請求の範囲】
【請求項１】
遊技者が所持する記憶媒体と、第１記憶媒体処理装置と、第２記憶媒体処理装置とから成り、
前記記憶媒体は、
当該記憶媒体ごとに割り振られた固有の識別情報を記憶する識別情報記憶部と、
前記第１記憶媒体処理装置以外の記憶媒体処理装置での使用を禁止する持玉使用禁止情報を記憶する持玉使用禁止情報記憶部とを有し、
前記第１記憶媒体処理装置は、
前記記憶媒体を挿入・排出自在で、挿入された前記記憶媒体に記憶されている情報の読取り及び書込みを行う第１読取り書込み部と、
この第１読取り書込み部にて読取り又は書込みを行った前記記憶媒体の識別情報を記憶する第１記憶媒体識別情報記憶部と、
読取り又は書込みを行った前記記憶媒体の前記持玉使用禁止情報記憶部に持玉使用禁止情報を書込む書込み制御部とを有し、
前記第２記憶媒体処理装置は、
前記記憶媒体を挿入・排出自在で、挿入された前記記憶媒体に記憶されている情報の読取り及び書込みを行う第２読取り書込み部と、
この第２読取り書込み部にて読取り又は書込みを行った前記記憶媒体の識別情報を記憶する第２記憶媒体識別情報記憶部と、
前記記憶媒体の識別情報記憶部に記憶されている識別情報と第２記憶媒体識別情報記憶部に記憶されている識別情報とを照合する照合部と、
前記記憶媒体の持玉使用禁止情報記憶部に持玉使用禁止情報が記憶されているかどうかを判別する判別部と、
前記第２読取り書込み部から前記記憶媒体を排出する排出制御部とを有し、
前記書込み制御部は、前記第１読取り書込み部を通じて、前記記憶媒体の持玉使用禁止情報記憶部に持玉使用禁止情報を書き込み、
前記第２読取り書込み部で前記記憶媒体に記憶されている識別情報を読み取って前記照合部に送信し、当該照合部で当該識別情報と前記第２記憶媒体識別情報記憶部に記憶されている識別情報とを照合し、不一致の場合は前記判別部で前記記憶媒体の持玉使用禁止情報記憶部に持玉使用禁止情報が記憶されているかどうかを判別し、記憶されていた場合は前記排出制御部で前記第２読取り書込み部から前記記憶媒体を排出することを特徴とする、記憶媒体処理システム。
【請求項２】
遊技者が所持する記憶媒体と、第１記憶媒体処理装置と、第２記憶媒体処理装置とから成り、
前記記憶媒体は、
当該記憶媒体ごとに割り振られた固有の識別情報を記憶する識別情報記憶部と、
前記第１記憶媒体処理装置以外の記憶媒体処理装置での使用を禁止する持玉使用禁止情報を記憶する持玉使用禁止情報記憶部とを有し、
前記第１記憶媒体処理装置は、
前記記憶媒体を挿入・排出自在で、挿入された前記記憶媒体に記憶されている情報の読取り及び書込みを行う第１読取り書込み部と、
この第１読取り書込み部にて読取り又は書込みを行った前記記憶媒体の識別情報を記憶する第１記憶媒体識別情報記憶部と、
読取り又は書込みを行った前記記憶媒体の前記持玉使用禁止情報記憶部に持玉使用禁止情報を書込む書込み制御部とを有し、
前記第２持玉払出し装置は、
前記記憶媒体を挿入・排出自在で、挿入された前記記憶媒体に記憶されている情報の読取り及び書込みを行う第２読取り書込み部と、
この第２読取り書込み部にて読取り又は書込みを行った前記記憶媒体の識別情報を記憶する第２記憶媒体識別情報記憶部と、
前記記憶媒体の識別情報記憶部に記憶されている識別情報と第２記憶媒体識別情報記憶部に記憶されている識別情報とを照合する照合部と、
前記記憶媒体の持玉使用禁止情報記憶部に持玉使用禁止情報が記憶されているかどうかを判別する判別部と、
前記第２読取り書込み部から前記記憶媒体を排出する排出制御部とを有し、
前記書込み制御部は、前記第１読取り書込み部を通じて、前記記憶媒体の持玉使用禁止情報記憶部に持玉使用禁止情報を書き込み、
前記判別部で前記記憶媒体の持玉使用禁止情報記憶部に持玉使用禁止情報が記憶されているかどうかを判別し、記憶されていた場合は前記記憶媒体に記憶されている識別情報を読み取って前記照合部に送信し、当該照合部で当該識別情報と前記第２記憶媒体識別情報記憶部に記憶されている識別情報とを照合し、不一致の場合は前記排出制御部で前記第２読取り書込み部から前記記憶媒体を排出することを特徴とする、記憶媒体処理システム。
【請求項３】
遊技者が所持する記憶媒体と、記憶媒体処理装置とから成り、
前記記憶媒体は、
当該記憶媒体ごとに割り振られた固有の識別情報を記憶する識別情報記憶部を有し、
前記記憶媒体処理装置は、
前記記憶媒体を挿入・排出自在で、挿入された前記記憶媒体に記憶されている情報の読取り及び書込みを行う読取り書込み部と、
前記識別情報を記憶する記憶媒体識別情報記憶部と、
前記読取り書込み部で読み取られた前記識別情報と、前記記憶媒体識別情報記憶部に記憶されている識別情報との照合を行う照合部と、
挿入された前記記憶媒体の排出時に、前記記憶媒体の前記識別情報とは異なる識別情報を作成する作成部と、
この作成した異なる識別情報を前記記憶媒体識別情報記憶部に記憶させる制御を行う記憶制御部とを有し、
前記記憶媒体を前記読取り書込み部から排出する際に、前記作成部で当該記憶媒体の識別情報とは異なる識別情報を作成し、前記記憶制御部でこの異なる識別情報を前記記憶媒体識別情報記憶部に記憶し、
前記読取り書込み部で前記記憶媒体に記憶されている識別情報を読み取って前記照合部に送信し、当該照合部で当該識別情報と記憶媒体識別情報記憶部に記憶されている識別情報とを照合し、不一致の場合は前記排出制御部で前記読取り書込み部から前記記憶媒体を排出することを特徴とする、記憶媒体処理システム。
【発明の詳細な説明】
【技術分野】
【０００１】
本発明は遊技場の記憶媒体処理システムに関するものである。特に遊技者が所持する記憶媒体に記憶されている持玉を用いて遊技する場合の、特定台への持玉の持ち込みや持ち出しを禁止する記憶媒体処理システムに関するものである。
【背景技術】
【０００２】
従来、特許文献１に示すように、各遊技機の近傍に計数機を配置し、当該遊技機で遊技者が遊技により獲得した遊技媒体を計数し、計数結果を情報として各遊技者が所持する記憶媒体に記憶させたり、計数結果を遊技場の管理装置に記憶させると共に記憶媒体にはこの計数結果を特定する情報を記憶させたりする。そして遊技者の手持ちの遊技球が不足した場合に記憶媒体に記憶されている情報に基づいて遊技媒体の払い出しを受け、遊技に使用するという技術が知られている。この技術は、いわゆる持玉として知られている。
【特許文献１】特開平１０−２４１６８号公報
【発明の開示】
【発明が解決しようとする課題】
【０００３】
ところで、持玉の移動・共有を自由にしている遊技場においても、イベントや新台入れ替え又は遊技場の方針として、特定の遊技機において持玉の移動や共有を認めていない場合がある。又、遊技場の方針として、持玉の移動・共有自体を制限している場合もある。このような遊技場の運用形態については、従来は遊技場の従業員が遊技者に直接声掛けして、その旨を伝える等して対処しており、システムとしてそのような処理を行うことはできなかった。システムとしてそのような処理を行うためには、遊技者がある遊技機で獲得した遊技媒体に関する情報を電子化して記憶媒体に記憶させ、当該記憶媒体に記憶されている持玉を特定の遊技機では、使用ができないようにする必要がある。
【０００４】
本発明は、上記従来技術を考慮したものであって、上記のような運用形態を採用する遊技場において、その運用形態に沿ったシステムを提供することを目的とする。
【課題を解決するための手段】
【０００５】
前記目的を達成するため、請求項１の発明では、遊技者が所持する記憶媒体と、第１記憶媒体処理装置と、第２記憶媒体処理装置とから成り、前記記憶媒体は、当該記憶媒体ごとに割り振られた固有の識別情報を記憶する識別情報記憶部と、前記第１記憶媒体処理装置以外の記憶媒体処理装置での使用を禁止する持玉使用禁止情報を記憶する持玉使用禁止情報記憶部とを有し、前記第１記憶媒体処理装置は、前記記憶媒体を挿入・排出自在で、挿入された前記記憶媒体に記憶されている情報の読取り及び書込みを行う第１読取り書込み部と、この第１読取り書込み部にて読取り又は書込みを行った前記記憶媒体の識別情報を記憶する第１記憶媒体識別情報記憶部と、読取り又は書込みを行った前記記憶媒体の前記持玉使用禁止情報記憶部に持玉使用禁止情報を書込む書込み制御部とを有し、前記第２記憶媒体処理装置は、前記記憶媒体を挿入・排出自在で、挿入された前記記憶媒体に記憶されている情報の読取り及び書込みを行う第２読取り書込み部と、この第２読取り書込み部にて読取り又は書込みを行った前記記憶媒体の識別情報を記憶する第２記憶媒体識別情報記憶部と、前記記憶媒体の識別情報記憶部に記憶されている識別情報と第２記憶媒体識別情報記憶部に記憶されている識別情報とを照合する照合部と、前記記憶媒体の持玉使用禁止情報記憶部に持玉使用禁止情報が記憶されているかどうかを判別する判別部と、前記第２読取り書込み部から前記記憶媒体を排出する排出制御部とを有し、前記書込み制御部は、前記第１読取り書込み部を通じて、前記記憶媒体の持玉使用禁止情報記憶部に持玉使用禁止情報を書き込み、前記第２読取り書込み部で前記記憶媒体に記憶されている識別情報を読み取って前記照合部に送信し、当該照合部で当該識別情報と前記第２記憶媒体識別情報記憶部に記憶されている識別情報とを照合し、不一致の場合は前記判別部で前記記憶媒体の持玉使用禁止情報記憶部に持玉使用禁止情報が記憶されているかどうかを判別し、記憶されていた場合は前記排出制御部で前記第２読取り書込み部から前記記憶媒体を排出することを特徴とする、記憶媒体処理システムを提供する。
【０００６】
請求項２の発明では、遊技者が所持する記憶媒体と、第１記憶媒体処理装置と、第２記憶媒体処理装置とから成り、前記記憶媒体は、当該記憶媒体ごとに割り振られた固有の識別情報を記憶する識別情報記憶部と、前記第１記憶媒体処理装置以外の記憶媒体処理装置での使用を禁止する持玉使用禁止情報を記憶する持玉使用禁止情報記憶部とを有し、前記第１記憶媒体処理装置は、前記記憶媒体を挿入・排出自在で、挿入された前記記憶媒体に記憶されている情報の読取り及び書込みを行う第１読取り書込み部と、この第１読取り書込み部にて読取り又は書込みを行った前記記憶媒体の識別情報を記憶する第１記憶媒体識別情報記憶部と、読取り又は書込みを行った前記記憶媒体の前記持玉使用禁止情報記憶部に持玉使用禁止情報を書込む書込み制御部とを有し、前記第２持玉払出し装置は、前記記憶媒体を挿入・排出自在で、挿入された前記記憶媒体に記憶されている情報の読取り及び書込みを行う第２読取り書込み部と、この第２読取り書込み部にて読取り又は書込みを行った前記記憶媒体の識別情報を記憶する第２記憶媒体識別情報記憶部と、前記記憶媒体の識別情報記憶部に記憶されている識別情報と第２記憶媒体識別情報記憶部に記憶されている識別情報とを照合する照合部と、前記記憶媒体の持玉使用禁止情報記憶部に持玉使用禁止情報が記憶されているかどうかを判別する判別部と、前記第２読取り書込み部から前記記憶媒体を排出する排出制御部とを有し、前記書込み制御部は、前記第１読取り書込み部を通じて、前記記憶媒体の持玉使用禁止情報記憶部に持玉使用禁止情報を書き込み、
前記判別部で前記記憶媒体の持玉使用禁止情報記憶部に持玉使用禁止情報が記憶されているかどうかを判別し、記憶されていた場合は前記記憶媒体に記憶されている識別情報を読み取って前記照合部に送信し、当該照合部で当該識別情報と前記第２記憶媒体識別情報記憶部に記憶されている識別情報とを照合し、不一致の場合は前記排出制御部で前記第２読取り書込み部から前記記憶媒体を排出することを特徴とする、記憶媒体処理システムを提供する。
【０００７】
請求項３の発明では、遊技者が所持する記憶媒体と、記憶媒体処理装置とから成り、前記記憶媒体は、当該記憶媒体ごとに割り振られた固有の識別情報を記憶する識別情報記憶部を有し、前記記憶媒体処理装置は、前記記憶媒体を挿入・排出自在で、挿入された前記記憶媒体に記憶されている情報の読取り及び書込みを行う読取り書込み部と、前記識別情報を記憶する記憶媒体識別情報記憶部と、前記読取り書込み部で読み取られた前記識別情報と、前記記憶媒体識別情報記憶部に記憶されている識別情報との照合を行う照合部と、
挿入された前記記憶媒体の排出時に、前記記憶媒体の前記識別情報とは異なる識別情報を作成する作成部と、この作成した異なる識別情報を前記記憶媒体識別情報記憶部に記憶させる制御を行う記憶制御部とを有し、前記記憶媒体を前記読取り書込み部から排出する際に、作成部で当該記憶媒体の識別情報とは異なる識別情報を作成し、前記記憶制御部でこの異なる識別情報を前記記憶媒体識別情報記憶部に記憶し、前記読取り書込み部で前記記憶媒体に記憶されている識別情報を読み取って前記照合部に送信し、当該照合部で当該識別情報と記憶媒体書換識別情報記憶部に記憶されている識別情報とを照合し、不一致の場合は前記排出制御部で前記読取り書込み部から前記記憶媒体を排出することを特徴とする、記憶媒体処理システムを提供する。
【発明の効果】
【０００８】
請求項１〜３の発明によれば、記憶媒体処理システムとして機械的に、ある遊技機で獲得した持玉を当該遊技機以外の特定の遊技機、あるいは、当該遊技機では使用できないようにするため、遊技場の従業員が遊技者の動向を監視し、直接遊技者に声を掛ける手間が省け、便宜である。また記憶媒体処理システムとして機械的に持玉の持ち込みを禁止するため、確実に他の遊技機からの持玉の持ち込みを禁止することができる。
【０００９】
また特に請求項１及び２の発明によれば、持玉使用禁止情報と識別情報の２つを用いて第２読取り書込み部から遊技者の記憶媒体を排出するか否かを決定するため、確実な処理を行うことができる。
【００１０】
また特に請求項３の発明によれば、当該記憶媒体の識別情報とは異なる識別情報を作成し、記憶媒体識別情報記憶部に記憶させる構成としたため、ある遊技機で遊技を行い、獲得した持玉であっても、当該持玉を用いて当該遊技機で遊技を行うことができない。結局、当該遊技機では持玉を利用して遊技を行うことができなくなり、より遊技場の運営方針に的確に沿うことができる。
【発明を実施するための最良の形態】
【００１１】
本発明は、遊技者が所持する記憶媒体と、第１記憶媒体処理装置と、第２記憶媒体処理装置とから成り、前記記憶媒体は、当該記憶媒体ごとに割り振られた固有の識別情報を記憶する識別情報記憶部と、前記第１記憶媒体処理装置以外の記憶媒体処理装置での使用を禁止する持玉使用禁止情報を記憶する持玉使用禁止情報記憶部とを有し、前記第１記憶媒体処理装置は、前記記憶媒体を挿入・排出自在で、挿入された前記記憶媒体に記憶されている情報の読取り及び書込みを行う第１読取り書込み部と、この第１読取り書込み部にて読取り又は書込みを行った前記記憶媒体の識別情報を記憶する第１記憶媒体識別情報記憶部と、読取り又は書込みを行った前記記憶媒体の前記持玉使用禁止情報記憶部に持玉使用禁止情報を書込む書込み制御部とを有し、前記第２記憶媒体処理装置は、前記記憶媒体を挿入・排出自在で、挿入された前記記憶媒体に記憶されている情報の読取り及び書込みを行う第２読取り書込み部と、この第２読取り書込み部にて読取り又は書込みを行った前記記憶媒体の識別情報を記憶する第２記憶媒体識別情報記憶部と、前記記憶媒体の識別情報記憶部に記憶されている識別情報と第２記憶媒体識別情報記憶部に記憶されている識別情報とを照合する照合部と、前記記憶媒体の持玉使用禁止情報記憶部に持玉使用禁止情報が記憶されているかどうかを判別する判別部と、前記第２読取り書込み部から前記記憶媒体を排出する排出制御部とを有し、前記書込み制御部は、前記第１読取り書込み部を通じて、前記記憶媒体の持玉使用禁止情報記憶部に持玉使用禁止情報を書き込み、前記第２読取り書込み部で前記記憶媒体に記憶されている識別情報を読み取って前記照合部に送信し、当該照合部で当該識別情報と前記第２記憶媒体識別情報記憶部に記憶されている識別情報とを照合し、不一致の場合は前記判別部で前記記憶媒体の持玉使用禁止情報記憶部に持玉使用禁止情報が記憶されているかどうかを判別し、記憶されていた場合は前記排出制御部で前記第２読取り書込み部から前記記憶媒体を排出することにより、特定の遊技機への持玉の持ち込み、特定の遊技機で獲得した持玉の持ち出しを確実に禁止することができる。
【実施例１】
【００１２】
図１は、本発明の記憶媒体処理システムAの全体を概略的に示した概念図であり、記憶媒体処理システムAは、記憶媒体１と第１記憶媒体処理装置２と、第２記憶媒体処理装置３と、管理装置１８とからなる。
【００１３】
記憶媒体１は、内部に情報を書込み、また内部に記憶された情報を読出すことのできる媒体であればよく、例えば、集積回路を組み込んだ会員用IDカード、ICコイン等である。特に、当該記憶媒体１は、当該記憶媒体１に割り振られた固有の識別情報を記憶する識別情報記憶部４と、持玉使用禁止フラグ等の持玉使用禁止情報を記憶する持玉使用禁止情報記憶部５を有している。
【００１４】
図２に示すように、第１記憶媒体処理装置２及び第２記憶媒体処理装置３は、遊技機１４に対応して設けられている台間機であり、貸し玉あるいは貸しコイン等遊技媒体の払出し機である。また、遊技機１４には、払い出された玉、コイン等の遊技媒体を計数し、遊技者が獲得した持玉として、遊技媒体の数量等の情報を第１記憶媒体処理装置２、又は第２記憶媒体処理装置３に送信する計数器１６が設けられている。第１記憶媒体処理装置２、又は第２記憶媒体処理装置３では、計数器１６から送信された遊技媒体の数量等の情報を表示部１７に表示する。
【００１５】
第１記憶媒体処理装置１は特に、持込み禁止モード信号を受信して、書込み制御部８が記憶媒体１の持玉使用禁止情報記憶部５に持玉使用禁止情報を記憶させる制御を行うように設定する設定部１９と、記憶媒体１を挿入・排出自在で、挿入された記憶媒体１の内部に情報を書き込み、また内部に記憶された情報を読取る第１読取り書込み部６と、記憶媒体１の識別情報を記憶する第１記憶媒体識別情報記憶部７と、記憶媒体１の持玉使用禁止情報記憶部５に持玉使用禁止情報を書込ませる書込み制御部８とを有している。
【００１６】
また図２(a)に示す通り、遊技機１４の前面には、記憶媒体１を第１読取り書込み部６から排出するのを促す排出ボタン(図示省略)が設けられている。排出ボタンは、書込み制御部８と接続されており、排出ボタンが押下げられた場合には、排出信号を書込み制御部８に送信する。
【００１７】
第２記憶媒体処理装置３は特に、記憶媒体１を挿入・排出自在で、挿入された記憶媒体１の内部に情報を書き込み、また内部に記憶された情報を読取る第２読取り書込み部９と、遊技者の所持する記憶媒体の識別情報を記憶する第２記憶媒体識別情報記憶部１０と、記憶媒体１の識別情報記憶部４に記憶されている識別情報と第２記憶媒体識別情報記憶部１０に記憶されている識別情報との照合を行う照合部１１と、記憶媒体１の持玉使用禁止情報記憶部５に持玉使用禁止情報が記憶されているか否かを判別する判別部１２と、第２読取り書込み部から記憶媒体１を排出させる排出制御部１３とを、有している。
【００１８】
管理装置１８は、図１に示すように第１記憶媒体処理装置２及び第２記憶媒体処理装置３と接続されており、相互に情報の送受信が可能である。管理装置１８は特に、持込み禁止モード信号を第１記憶媒体処理装置２の設定部１９に送信する。
【００１９】
なお、記憶媒体処理システムAの前提として、管理装置１８は持込み禁止モード信号を第１記憶媒体処理装置２の設定部１９に送信する。持込み禁止モード信号を受信した設定部１９は、書込み制御部８が記憶媒体１の持玉使用禁止情報記憶部５に持玉使用禁止情報を記憶させる制御を行うように設定する。一方、管理装置１８から持込み禁止モード信号を受信しなかった設定部１９は、書込み制御部８が記憶媒体１の持玉使用禁止情報記憶部５に持玉使用禁止情報を記憶させない制御を行う。つまり、第１記憶媒体処理装置２は、管理装置１８から持込み禁止モード信号を受信すると、持込み禁止モードになり、持込み禁止モード信号を受信しなければ、通常モードでの運用になる。
【００２０】
また、上述の持込み禁止モードに設定する際、管理装置１８で持込み禁止に設定されなかった第１記憶媒体処理装置２に対しては、通常モードでの運用の設定となる通常モード信号を送信するように構成し、管理装置１８から設定部１９で通常モード信号を受信した第１記憶媒体処理装置２は通常モードで運用されるようにしても良い。
【００２１】
次に、記憶媒体処理システムAの処理の流れを説明する。まず、遊技者は、記憶媒体１を第１記憶媒体処理装置２の第１読取り書込み部６に挿入する。そして第１記憶媒体処理装置２に対応して設けられている遊技機１４で遊技を行った後、当該遊技機１４での遊技を終了する場合、排出ボタン(図示省略)を押下げる。遊技者の排出ボタンの押下げによって、排出信号が書込み制御部８に送信される。排出信号を受け取った書込み制御部８では、当該記憶媒体１の識別情報を、第１記憶媒体識別情報記憶部７に記憶させるとともに、記憶媒体１の持玉使用禁止情報記憶部５に持玉使用禁止情報を書込む。その後、記憶媒体１は、第１読取り書込み部６から排出される。
【００２２】
次に、その後遊技者が、第２記憶媒体処理装置３に対応して設けられている遊技機１４で、遊技を行おうとする場合について説明する。まず、遊技者は図１及び図２(b)に示されている第２読取り書込み部９に記憶媒体１を挿入する。それから図３に示すように、記憶媒体１の挿入を検知した第２読取り書込み部９では、記憶媒体１の識別情報記憶部４に記憶されている識別情報を読み取る。第２読取り書込み部９は、識別情報を照合部１１に送信する。識別情報を受信した照合部１１では、第２記憶媒体識別情報記憶部１０に記憶されている識別情報と照合し、不一致の場合には、第２読取り書込み部９は、記憶媒体１の持玉使用禁止情報記憶部５に記憶されている情報を読取り、当該情報を判別部１２に送信する。当該情報を受信した判別部では、持玉使用禁止情報が記憶されているか否かを判別する。その結果、記憶媒体１の持玉使用禁止情報記憶部５に持玉使用禁止情報が記憶されていた場合には、排出制御部１３は、第２読取り書込み部９から、記憶媒体１を排出する。
【００２３】
上記のような構成にすることにより、他の遊技機(＝第１記憶媒体処理装置２に対応している遊技機１４)で獲得した、いわゆる持玉を、特定の遊技機(＝第２記憶媒体処理装置３に対応している遊技機１４)で使用しようとしても、記憶媒体１が自動的に排出されてしまうため、特定の遊技機１４では、遊技者の持玉を用いた遊技を確実に禁止することができる。
【００２４】
なお本実施例では、まず識別情報を第２記憶媒体処理装置３の照合部１１で照合し、次に記憶媒体１の持玉使用禁止情報記憶部５に持玉使用禁止情報が記憶されているか否かを、第２記憶媒体処理装置３の判別部１２で判別する構成を示したが、図４に示す通り、まず記憶媒体１の持玉使用禁止情報記憶部５に持玉使用禁止情報が記憶されているか否かを、第２記憶媒体処理装置３の判別部１２で判別し、次に識別情報を第２記憶媒体処理装置３の照合部１１で照合する構成としてもよい。
【実施例２】
【００２５】
図５は、本発明の記憶媒体処理システムBの全体を概略的に示した概念図であり、記憶媒体処理システムBは、記憶媒体２０と記憶媒体処理装置２１と、管理装置３３とからなる。
【００２６】
記憶媒体２０は、内部に情報を書込み、また内部に記憶された情報を読出すことのできる媒体であればよく、例えば、集積回路を組み込んだ会員用IDカード、ICコインである。特に、当該記憶媒体２０は、当該記憶媒体２０に割り振られた固有の識別情報を記憶する識別情報記憶部２２を有している。
【００２７】
図６に示すように、記憶媒体処理装置２１は、遊技機２３に対応して設けられている台間機であり、貸し玉あるいは貸しコイン等遊技媒体の払出し機である。また、遊技機２３には、払い出された玉、コイン等の遊技媒体を計数し、遊技者が獲得した持玉として、遊技媒体の数量等の情報を記憶媒体処理装置２１に送信する計数器２４が設けられている。記憶媒体処理装置２１では、計数器２４から送信された遊技媒体の数量等の情報を表示部２５に表示する。
【００２８】
記憶媒体処理装置２１は特に、記憶媒体２０を挿入・排出自在で、挿入された記憶媒体２０の内部に情報を書き込み、また内部に記憶された情報を読取る読取り書込み部２６と、読取り書込み部２６に挿入された記憶媒体２０の識別情報とは異なる識別情報を作成する作成部２７と、この異なる識別情報を、記憶媒体識別情報記憶部２８に記憶させる記憶制御部２９と、記憶媒体２０の識別情報記憶部２２に記憶されている識別情報と、記憶媒体識別情報記憶部２８に記憶されている識別情報との照合を行う照合部３０と、読取り書込み部２６から記憶媒体２０を排出させる排出制御部３１とを、有している。
【００２９】
また図６に示す通り、遊技機２３の前面には、記憶媒体２０を読取り書込み部２６から排出するのを促す排出ボタン(図示省略)が設けられている。排出ボタンは、作成部２７と接続されており、排出ボタンが押下げられた場合には、排出信号を作成部２７に送信する。
【００３０】
管理装置３３は、図６に示すように記憶媒体処理装置２１と接続されており、相互に情報の送受信が可能である。管理装置３３は特に、持込み禁止モード信号を記憶媒体処理装置２１の設定部３４に送信する。
【００３１】
なお、記憶媒体処理システムBの前提として、管理装置３３は持込み禁止モード信号を記憶媒体処理装置２１の設定部３４に送信する。持込み禁止モード信号を受信した設定部３４は、作成部２７が、当該記憶媒体２０から読み取った識別情報とは異なる識別情報を作成する制御を行うように設定する。一方、管理装置３３から持込み禁止モード信号を受信しなかった設定部３４は、作成部２７が、当該記憶媒体２０から読み取った識別情報とは異なる識別情報を作成しない制御を行う。つまり、記憶媒体処理装置２１は、管理装置３３から持込み禁止モード信号を受信すると、持込み禁止モードになり、持込み禁止モード信号を受信しなければ、通常モードでの運用になる。
【００３２】
また、上述の持込み禁止モードに設定する際、管理装置３３で持込み禁止に設定されなかった記憶媒体処理装置２１には、通常モードでの運用の設定となる通常モード信号を送信するように構成し、管理装置３３から設定部３４で通常モード信号を受信した記憶媒体処理装置２１は通常モードで運用されるようにしても良い。
【００３３】
次に、記憶媒体処理システムBの処理の流れを説明する。まず、遊技者は、記憶媒体２０を記憶媒体処理装置２１の読取り書込み部２６に挿入する。そして記憶媒体処理装置２１に対応して設けられている遊技機２３で遊技を行った後、当該遊技機２３での遊技を終了する場合、排出ボタン(図示省略)を押下げる。遊技者の排出ボタンの押下げによって、排出信号が作成部２７に送信される。排出信号を受け取った作成部２７は、当該記憶媒体２０から読み取った識別情報とは異なる識別情報を作成し、記憶制御部２９は、作成された当該識別情報を、記憶媒体識別情報記憶部２８に記憶させる。その後、記憶媒体２０は、読取り書込み部２６から排出される。
【００３４】
次に、その後遊技者が、再度同じ遊技機（記憶媒体処理装置２１に対応して設けられている遊技機２３）で、遊技を行おうとする場合について説明する。まず、遊技者は図５及び図６に示されている読取り書込み部２６に記憶媒体２０を挿入する。それから、記憶媒体２０の挿入を検知した読取り書込み部２６では、記憶媒体２０の識別情報記憶部２２に記憶されている識別情報を読み取る。読取り書込み部２６は、識別情報を照合部３０に送信する。識別情報を受信した照合部３０では、記憶媒体識別情報記憶部２８に記憶されている識別情報と照合し、不一致の場合には、排出制御部３１は、排出制御信号を読取り書込み部２６に送信し、排出制御信号を受信した読取り書込み部２６は、記憶媒体２０を排出する。
【００３５】
上記のような構成にすることにより、ある遊技機(=遊技機２３)で獲得した、いわゆる持玉を、同一の遊技機(=遊技機２３)で使用しようとしても、記憶媒体２０が自動的に排出されてしまうため、同一の遊技機で獲得した持玉であっても、遊技者の持玉を用いた遊技を確実に禁止することができるため、一旦遊技を止めた遊技者が、その持玉を景品交換・貯玉処理などを行わずにその持玉で再度同一の遊技機(=遊技機２１)で遊技することを禁止するという遊技場の運用形態に沿うものとなる。また、上述のように識別情報の一致の有無だけを判断基準とする場合、上記処理を他の記憶媒体処理装置に記憶媒体２０が挿入された場合でも適用することができる。
【００３６】
なお、本実施例２では上述の通り識別情報のみを判断基準としているが、記憶媒体２０に持玉使用禁止情報記憶部（図示省略）を設けて、ここに記憶している持玉使用禁止情報と、識別情報とを用いて判断するように構成しても良い。この場合、記憶媒体処理装置２１に記憶媒体２０が挿入されると、読取り書込み部２６が記憶媒体２０の識別情報を読み取る。次に、読み取った識別情報と当該記憶媒体処理装置２１の記憶媒体識別情報記憶部２８に記憶されている識別情報とを照合する。そして照合が不一致となると、記憶媒体２０の持玉使用禁止情報記憶部に持玉使用禁止情報が記憶されているか否かを確認する。ここで持玉使用禁止情報が記憶されていれば、排出制御部３１が排出制御信号を読取り書込み部２６に送信し、この排出制御信号を受信した読取り書込み部２６は、記憶媒体２０を排出する。
【実施例３】
【００３７】
上記実施例２では、同一の遊技機２３に対応する記憶媒体処理装置２１に再度記憶媒体２０を挿入して持玉を使用することを禁止するために、記憶媒体２０に記憶している識別情報、あるいは識別情報と持玉使用禁止情報を用いているが、本実施例では、持玉使用禁止情報のみを用いる構成とする。なお本実施例では、上記実施例２の構成と同一の部分は同符号を使用するものとし、各構成部は実施例２と異なる部分のみ説明し、同一の部分は説明を省略する。
【００３８】
本実施例における記憶媒体処理装置２１は、読取り書込み部２６に挿入された記憶媒体２０の識別情報とは異なる識別情報を作成する作成部２７を設けない構成としている。また、記憶媒体２０には持玉使用禁止情報記憶部（図示省略）を設けている。
【００３９】
次に、処理の流れを説明すると、まず、記憶媒体２０が挿入されている記憶媒体処理装置２１に対応する遊技機２３に備えられている排出ボタン(図示省略)が押下されると、排出信号が記憶媒体処理装置２１に入力される。この排出信号を受信すると、記憶媒体処理装置２１は読取り書込み部２６において、記憶媒体２０の持玉使用禁止情報記憶部に持玉使用禁止情報を記憶させたうえで、当該記憶媒体２０を記憶媒体処理装置２１から排出する。
【００４０】
そして、この排出した記憶媒体２０が再度同一の記憶媒体処理装置（＝記憶媒体処理装置２１）に挿入されると、読取り書込み部２６は挿入された記憶媒体２０の持玉使用禁止情報記憶部に記憶されている情報を読取って判別部（図示省略）に送信する。そして、この判別部での判別で、持玉使用禁止情報が記憶されていると判別すると、当該判別部は排出制御部３１に排出信号を送信する。この排出信号を受信した排出制御部３１は、読取り書込み部２６に排出動作を行わせ、該記憶媒体２０を記憶媒体処理装置２１外へ排出する。
【００４１】
このように本実施例３の構成とすると、持玉使用禁止情報のみで、ある記憶媒体処理装置で排出された記憶媒体を他の記憶媒体処理装置で使用できなくすることもできるし、当該同一の記憶媒体処理装置において記憶媒体を使用できなくすることも可能である。したがって、ある遊技機での遊技に使用され、この遊技機に対応する記憶媒体処理装置から排出された記憶媒体は、持玉処理などの精算を行わないと再度使用できないような遊技場の運用を採用する場合に有効なものとなる。
【００４２】
また、上記実施例１〜３では記憶媒体を記憶媒体処理装置に挿入する構成としているが、このような接触型の構成に限定されるものではなく、記憶媒体と記憶媒体処理装置との情報の送受信は、記憶媒体処理装置に挿入する構成のものではなく、例えば無線を用いた非接触型の構成でもよい。
【００４３】
また、本明細書にいう遊技媒体とは、パチンコ玉やスロットマシン用のメダルを指すものとする。
【図面の簡単な説明】
【００４４】
【図１】本発明に係る記憶媒体処理システムAを示す概略図である。
【図２】(a)本発明に係る第１記憶媒体処理装置２を示す正面図である。  (b)本発明に係る第2記憶媒体処理装置3を示す正面図である。
【図３】本発明に係る第２記憶媒体処理装置３の処理の流れを示す流れ図である。
【図４】本発明に係る第２記憶媒体処理装置３の処理の流れを示す流れ図である。
【図５】本発明に係る記憶媒体処理システムBを示す概略図である。
【図６】本発明に係る記憶媒体処理装置１９を示す正面図である。
【符号の説明】
【００４５】
１：記憶媒体、２：第１記憶媒体処理装置、３：第２記憶媒体処理装置、４：識別情報記憶部、５：持玉使用禁止情報記憶部、６：第１読取り書込み部、７：第１記憶媒体識別情報記憶部、８：書込み制御部、９：第２読取り書込み部、１０：第２記憶媒体識別情報記憶部、１１：照合部、１２：判別部、１３：排出制御部、１４：遊技機、１６：計数器、１７：表示部、１８：管理装置、１９：設定部、２０：記憶媒体、２１：記憶媒体処理装置、２２：識別情報記憶部、２３：遊技機、２４：計数器、２５：表示部、２６：読取り書込み部、２７：作成部、２８：記憶媒体識別情報記憶部、２９：記憶制御部、３０：照合部、３１：排出制御部、３３：管理装置、３４：設定部、Ａ：記憶媒体処理システム、Ｂ：記憶媒体処理システム
【図１】
2010227436.tif 000003
【図２】
2010227436.tif 000004
【図３】
2010227436.tif 000005
【図４】
2010227436.tif 000006
【図５】
2010227436.tif 000007
【図６】
2010227436.tif 000008